(57)【特許請求の範囲】
【請求項１】
透明基板及び前記透明基板の一面に形成された低放射コーティングを含み、
前記低放射コーティングは、前記透明基板から順次に積層した第１の誘電体層、第２の誘電体層、第３の誘電体層、第１の低放射保護層、低放射層、第２の低放射保護層、第４の誘電体層、第５の誘電体層及び第６の誘電体層を含み、
前記第１の誘電体層の屈折率と前記第３の誘電体層の屈折率は、それぞれ前記第２の誘電体層の屈折率より低いし、
前記第４の誘電体層の屈折率と前記第６の誘電体層の屈折率は、それぞれ前記第５の誘電体層の屈折率より低く、
前記第１の誘電体層、前記第３の誘電体層、前記第４の誘電体層及び前記第６の誘電体層の屈折率は、それぞれ１．８〜２．２であり、
前記第２の誘電体層及び前記第５の誘電体層の屈折率は、それぞれ２．３〜２．５であり、
前記第１の誘電体層、前記第３の誘電体層、前記第４の誘電体層及び前記第６の誘電体層は、それぞれ窒化シリコーンアルミニウムを含み、
前記第２の誘電体層及び前記第５の誘電体層は、それぞれ酸化チタンを含み、
前記第１の低放射保護層及び前記第２の低放射保護層は、酸化アルミニウム亜鉛層及びニッケルクロム層を含む、
窓戸用機能性建材。
【請求項２】
前記第６の誘電体層の上部に最上部保護層をさらに含み、
前記最上部保護層は、ジルコニウム系化合物を含む、
請求項１に記載の窓戸用機能性建材。
【請求項３】
前記第３の誘電体層、前記第６の誘電体層、又はこれら全ての上部に追加高屈折層及び追加低屈折層が順次に積層してさらに含み、
前記追加低屈折層は、屈折率が２．２以下であり、
前記追加高屈折層は、屈折率が２．３以上である、
請求項１に記載の窓戸用機能性建材。
【請求項４】
前記低放射層は、放射率が０．０１〜０．３である、
請求項１に記載の窓戸用機能性建材。
【請求項５】
前記第１の低放射保護層及び前記第２の低放射保護層のそれぞれは、可視光線領域の消衰係数が１．５〜３．５である、
請求項１に記載の窓戸用機能性建材。
【請求項６】
前記透明基板は、８０％〜１００％の可視光線透過率を有するガラス又は透明プラスチック基板である、
請求項１に記載の窓戸用機能性建材。
【発明の詳細な説明】
【技術分野】
【０００１】
窓戸用機能性建材に関する。
【背景技術】
【０００２】
低放射ガラス（Ｌｏｗ−Ｅｍｉｓｓｉｖｉｔｙ  ｇｌａｓｓ）とは、銀（Ａｇ）のように、赤外線領域における反射率の高い金属を含む低放射層が薄膜で蒸着されたガラスを言う。かかる低放射ガラスは、赤外線領域の輻射線を反射させて、夏には室外の太陽輻射熱を遮断し、冬には室内の暖房輻射熱を保持することによって、建物の省エネルギー効果をもたらす機能性素材である。
【０００３】
通常、低放射層として用いられる銀（Ａｇ）は、空気中に曝した時に酸化するため、前記低放射層の上部、下部に酸化防止膜として誘電体層が蒸着される。かかる誘電体層は、可視光透過率を増加させる役割も行う。
【発明の概要】
【発明が解決しようとする課題】
【０００４】
本発明の一具現例は、優れた光学性能を維持し、且つ耐熱性、耐湿性及び耐磨耗性が向上した窓戸用機能性建材を提供する。
【課題を解決するための手段】
【０００５】
本発明の一具現例において、透明基板及び前記透明基板の一面に形成された低放射コーティングを含み、前記低放射コーティングは、前記透明基板から順次に積層した第１の誘電体層、第２の誘電体層、第３の誘電体層、第１の低放射保護層、低放射層、第２の低放射保護層、第４の誘電体層、第５の誘電体層及び第６の誘電体層を含み、前記第１の誘電体層の屈折率と前記第３の誘電体層の屈折率は、それぞれ前記第２の誘電体層の屈折率より低いし、前記第４の誘電体層の屈折率と前記第６の誘電体層の屈折率は、それぞれ前記第５の誘電体層の屈折率より低く、前記第１の誘電体層、前記第３の誘電体層、前記第４の誘電体層及び前記第６の誘電体層の屈折率は、それぞれ１．８〜２．２であり、前記第２の誘電体層及び前記第５の誘電体層の屈折率は、それぞれ２．３〜２．５であり、前記第１の誘電体層、前記第３の誘電体層、前記第４の誘電体層及び前記第６の誘電体層は、それぞれ窒化シリコーンアルミニウムを含み、前記第２の誘電体層及び前記第５の誘電体層は、それぞれ酸化チタンを含み、前記第１の低放射保護層及び前記第２の低放射保護層は、酸化アルミニウム亜鉛層及びニッケルクロム層を含む、窓戸用機能性建材を提供する。
【０００６】
前記第１の誘電体層、前記第３の誘電体層、第４の誘電体層及び第６の誘電体層の屈折率は、それぞれ２．２以下であってもよい。
【０００７】
前記第２の誘電体層及び第５の誘電体層の屈折率は、それぞれ２．３以上であってもよい。
【０００８】
前記窓戸用機能性建材は、前記第６の誘電体層の上部に最上部保護層をさらに含んでいてもよい。
【０００９】
前記窓戸用機能性建材は、前記第３の誘電体層、前記第６の誘電体層又はこれら全ての上部に追加高屈折層及び追加低屈折層を順次にさらに含んでいてもよい。
【発明の効果】
【００１０】
前記窓戸用機能性建材は、光学性能、耐熱性、耐湿性及び耐磨耗性に優れる。
【図面の簡単な説明】
【００１１】
【図１】本発明の一具現例による窓戸用機能性建材の概略的な断面図。
【図２】本発明の他の具現例による窓戸用機能性建材の概略的な断面図。
【図３】本発明のさらに他の具現例による窓戸用機能性建材の概略的な断面図。
【発明を実施するための形態】
【００１２】
以下、添付の図面を参考にして、本発明の実施例について本発明の属する技術分野における通常の知識を有する者が容易に実施できるように詳説する。本発明は、異なる様々な形態に具現することができ、ここに説明する実施例に限定されるものではない。
【００１３】
本発明を明確に説明するために、説明と関係ない部分は省略しており、全明細書における同一又は類似の構成要素については同じ参照符号を付することにする。
【００１４】
図面において、複数の層及び領域を明確に表現するため厚さを拡大して示した。また図面において、説明の便宜のため一部の層及び領域の厚さを誇張して示した。
【００１５】
以下において、基材の「上部（又は下部）」又は基材の「上（又は下）」に任意の構成が形成されるということは、任意の構成が前記基材の上面（又は下面）に接して形成されることを意味するだけでなく、前記基材と基材上に（又は下に）形成された任意の構成の間に他の構成を含まないと限定するのではない。
【００１６】
本発明の一具現例において、透明基板１０及び前記透明基板１０の一面に形成された低放射コーティング１１（ｃｏａｔｉｎｇ，ｃｏａｔ）を含む窓戸用機能性建材１００を提供する。
【００１７】
前記低放射コーティング１１は、前記透明基板１０から順次に積層した第１の誘電体層１４ａ、第２の誘電体層１４ｂ、第３の誘電体層１４ｃ、第１の低放射保護層１３ａ、低放射層１２、第２の低放射保護層１３ｂ、第４の誘電体層１４ｄ、第５の誘電体層１４ｅ及び第６の誘電体層１４ｆを含む。
【００１８】
前記第１の誘電体層の屈折率と前記第３の誘電体層の屈折率は、それぞれ前記第２の誘電体層の屈折率より低い。
【００１９】
前記第４の誘電体層の屈折率と前記第６の誘電体層の屈折率は、それぞれ前記第５の誘電体層の屈折率より低い。
【００２０】
図１は、本発明の一具現例による窓戸用機能性建材１００を示した断面図である。
【００２１】
前記低放射コーティング１１は、太陽輻射線のうち選択的に遠赤外線を反射する低放射層１２に基づく多層薄膜構造で図１のように形成されてもよく、放射率を低くして、前記低放射コーティング１１に低放射率、すなわち、ローイー（Ｌｏｗ−ｅ：ｌｏｗ  ｅｍｉｓｓｉｖｉｔｙ）効果による優れた断熱性能を付与する。
【００２２】
前記低放射コーティング１１は、上記のような構造で形成されて、例えば、窓ガラスのコーティング膜として適用するとき、夏には室外の太陽輻射熱を反射させ、冬には室内の暖房輻射熱を保存することによって、室内外間の熱の移動を最小限にして、建物の省エネルギー効果をもたらす機能性素材である。
【００２３】
「放射率（Ｅｍｉｓｓｉｖｉｔｙ ）」とは、物体が任意の特定波長を有するエネルギーを吸収、透過及び反射する割合を意味する。すなわち、本明細書における放射率は、赤外線波長領域にある赤外線エネルギーの吸収度合いを示すものであって、具体的には、強い熱作用を示す約５μｍ〜約５０μｍの波長領域に相当する遠赤外線が印加されたとき、印加される赤外線エネルギーに対して吸収される赤外線エネルギーの割合を意味する。
【００２４】
キルヒホッフの法則によれば、物体に吸収された赤外線エネルギーは、物体がさらに放射する赤外線エネルギーと同様であるため、物体の吸収率と放射率は、同様である。
【００２５】
また、吸収されていない赤外線エネルギーは、物体の表面で反射するため、物体の赤外線エネルギーに対する反射率が高いほど、放射率は低い値を有する。これを数値で表すと、（放射率＝１−赤外線反射率）の関係を有する。
【００２６】
かかる放射率は、この分野における通常知られた様々な方法により測定することができ、例えば、ＫＳＬ２５１４規格によってフーリエ変換赤外線分光計（ＦＴ−ＩＲ）等の設備で測定することができる。
【００２７】
任意の物体、例えば、低放射ガラス等、このような強い熱作用を表す遠赤外線に対する吸収率、すなわち、放射率が断熱性能を測定するにあたって、非常に重要な意味を表し得る。
【００２８】
前記低放射コーティング１１は、前記透明ガラス基板１０にコーティング膜として適用され、可視光線領域では、所定の透過特性を維持して優れた採光性を具現することができ、且つ赤外線領域では、放射率を低くして優れた断熱効果を提供できる省エネルギー型窓戸用機能性建材を具現することができる。このような窓戸用機能性建材は、いわゆる「ローイーガラス」とも称される。
【００２９】
前記低放射層１２は、低い放射率を有し得る電気伝導性材料、例えば、金属で形成された層であって、すなわち、低い面抵抗を有しており、それによって低い放射率を有する。例えば、前記低放射層１２は、放射率が約０．０１〜約０．３であってもよく、具体的には約０．０１〜約０．２であってもよく、より具体的には約０．０１〜約０．１であってもよく、さらに具体的には約０．０１〜約０．０８であってもよい。
【００３０】
前記放射率範囲の低放射層１２は、可視光線透過率及び赤外線放射率を好適に調節して、優れた採光性及び断熱効果を同時に具現することができる。上記のような放射率を有する前記低放射層１２０は、薄膜からなる材料の面抵抗が例えば、約０．７８Ω／ｓｑ〜約６．４２Ω／ｓｑであってもよく、これに制限されるものではない。
【００３１】
前記低放射層１２は、太陽輻射線を選択的に透過及び反射させる機能を行い、具体的には、赤外線領域の輻射線に対する反射率が高くて、低放射率を有する。前記低放射層１２は、Ａｇ、Ａｕ、Ｃｕ、Ａｌ、Ｐｔ、イオンドーピング金属酸化物、及びこれらの組み合わせを含む群から選択された少なくとも１つを含んでいてもよく、これに制限されるものではないし、低放射性能を具現できると公知された金属を制限なく用いることができる。前記イオンドーピング金属酸化物は、例えば、 酸化インジウムスズ（ＩＴＯ）、フッ素ドープ酸化スズ（ＦＴＯ）、Ａｌドープ酸化亜鉛（ＡＺＯ）、ガリウム亜鉛酸化物（ＧＺＯ）等を含む。一具現例において、前記低放射層１２は、銀（Ａｇ）で形成された層であってもよく、その結果、前記低放射コーティング１１は、高い電気伝導度、可視光線領域での低い吸収率、耐久性等を具現することができる。
【００３２】
前記低放射層１２の厚さは例えば、約５ｎｍ〜約２５ｎｍであってもよい。前記範囲の厚さを有する低放射層１２は、低い赤外線放射率及び高い可視光線透過率を同時に具現するに適している。
【００３３】
前記低放射保護層１３ａ、１３ｂは、光吸収性能に優れた金属からなっており、太陽光を調節する機能を行い、その材料、厚さ等を調節して、前記低放射コーティング１１の具現する色相を調節することができる。
【００３４】
一具現例において、前記低放射保護層１３ａ、１３ｂは、可視光線領域での消衰係数（ｅｘｔｉｎｃｔｉｏｎ  ｃｏｅｆｆｉｃｉｅｎｔ）が約１．５〜約３．５であってもよい。前記消衰係数は、素材の物質固有の特性である光学定数から導出する値であって、前記光学定数は、数式ではｎ−ｉｋに表記される。このとき、実数部分であるｎは、屈折率であり、虚数部分であるｋは、消衰係数（吸収係数、吸光係数、消光係数等とも命名される。）と言う。消衰係数は、波長（λ）の関数であり、金属の場合、消衰係数が０より大きいのが一般的である。消衰係数、ｋは、吸収係数、αとα＝（４πｋ）／λの関係を有しており、吸収係数、αは、光の通す媒質の厚さがｄであるとき、Ｉ＝Ｉ０ｅｘｐ（−αｄ）の関係であり、媒質による光の吸収によって通した光の強度（Ｉ）が入射した光の強度（Ｉ０）に比べて減少することになる。
【００３５】
前記低放射保護層１３ａ、１３ｂは、 前記範囲の可視光線領域の消衰係数を有する金属を用いて、可視光線の一定部分を吸収し、前記低放射コーティング１１が所定の色相を有するようにする。
【００３６】
例えば、前記低放射保護層１３ａ、１３ｂは、Ｎｉ、Ｔｉ、Ｎｂ、Ａｌ、Ｚｎ、Ｍｏ、及びこれらの組み合わせからなる群から選択された１つを含んでいてもよく、これに制限されるものではない。前記例示の金属の組み合わせは、合金形態を意味する。
【００３７】
一具現例において、前記低放射保護層１３ａ、１３ｂは、Ｔｉ、Ｎｂ、Ｍｏ、又はこれらのうち少なくとも２つの合金を含んでいてもよい。
【００３８】
前記低放射保護層１３ａ、１３ｂは、単一層又は複数の層で含まれていてもよく、前記低放射層１２０の一面又は両面に位置してもよい。図１では、低放射層１２の両面に複数の層で低放射保護層１３ａ、１３ｂが形成された場合を示す。
【００３９】
前記低放射保護層１３ａ、１３ｂの厚さは、例えば、一層を約０．５ｎｍ〜約５ｎｍの厚さにすることができ、これに限定されるものではなく、用途に合わせて適宜変更することができる。。  
【００４０】
前記低放射保護層１３ａ、１３ｂの厚さは、金属材料によって異なりうる。例えば、前記低放射保護層１３ａ、１３ｂとしてＮｉＣｒ層の厚さは、約０．５ｎｍ〜約２ｎｍであってもよく、前記低放射保護層１３ａ、１３ｂとしてＺｎＡｌＯｘ層の厚さは、約１ｎｍ〜約８ｎｍであってもよい。
【００４１】
前記低放射コーティング１１は、前記厚さ範囲の低放射保護層１３ａ、１３ｂを形成することで、低放射保護層１３ａ、１３ｂとしての役割を行し、且つ所定の透過率及び反射率を有するように調節するに適している。
【００４２】
前記第１の誘電体層１４ａ、前記第３の誘電体層１４ｃ、第４の誘電体層１４ｄ及び第６の誘電体層１４ｆの屈折率は、それぞれ約２．２以下であり、具体的には、約１．８〜約２．２であってもよい。
【００４３】
一具現例において、前記第１の誘電体層１４ａ、前記第３の誘電体層１４ｃ、第４の誘電体層１４ｄ及び第６の誘電体層１４ｆは、それぞれ窒化シリコーンアルミニウムを含んでいてもよい。
【００４４】
前記窒化シリコーンアルミニウムは、約２．２以下の屈折率を十分に具現することができると共に、優れた耐久性を発揮することができる。
【００４５】
前記第１の誘電体層１４ａ、前記第３の誘電体層１４ｃ、第４の誘電体層１４ｄ及び第６の誘電体層１４ｆは例えば、Ｓｉ：Ａｌの重量比が約８５〜９５重量部：５〜１５重量部のターゲットを用いて、窒素雰囲気でスパッタリング装備を利用して蒸着して製造されてもよい。このとき、窒素の含量比に応じて屈折率を調節することができ、具体的には、窒素の含量が少ないほど屈折率が低くなり、含量が多いほど屈折率が高くなる。具体的には、窒素の含量を調節して、約１．８〜約２．２の屈折率を有する窒化シリコーンアルミニウム層を製造することができる。
【００４６】
前記窓戸用機能性建材１００は、窒化シリコーンアルミニウムを含む層を少なくとも４層以上含むため、優れた耐久性を発揮することができる。
【００４７】
前記第２の誘電体層１４ｂ及び第５の誘電体層１４ｅの屈折率は、それぞれ約２．３以上であり、具体的には約２．３〜約２．５であってもよい。
【００４８】
他の具現例において、前記第２の誘電体層１４ｂ及び第５の誘電体層１４ｅは、それぞれＴｉ、Ｚｒ、Ｎｂ、Ｔａ、及びこれらの組み合わせからなる群から選択された一つの酸化物、酸窒化物又はこれら全てを含んでいてもよい。前記Ｔｉ、Ｚｒ、Ｎｂ、Ｔａの組み合わせは、２以上の金属の合金を意味する。
【００４９】
具体的には、前記第２の誘電体層１４ｂ及び第５の誘電体層１４ｅは、それぞれチタン、ジルコニウム、タンタル、及びこれらの組み合わせからなる群から選択された一つの酸化物を含んでいてもよい。具体的には、前記第２の誘電体層１４ｂ及び第５の誘電体層１４ｅは、それぞれＴｉＯｘ；ＺｒＯｘ；ＴａＯｘ；又はＴｉ、Ｚｒ及びＴａのうち少なくとも２以上の合金からなる群から選択された一つの酸化物；を含んでいてもよいし、約１．５≦ｘ≦２．０であってもよく、具体的には、約１．６≦ｘ≦１．９であってもよい。
【００５０】
上記例示の物質は、約２．３以上の屈折率を十分に具現できると共に、優れた耐久性を発揮することができる。
【００５１】
前記低放射層１２として用いられる金属は、一般に酸化しやすいため、前記第１の誘電体層１４ａ〜前記第６の誘電体層１４ｆは、前記低放射層１２の酸化防止膜として作用することができ、また前記第１の誘電体層１４ａ〜前記第６の誘電体層１４ｆは、可視光線透過率を増加させる役割も行う。また、前記第１の誘電体層１４ａ〜前記第６の誘電体層１４ｆは、前記低放射コーティング１１の光学性能を向上させる。
【００５２】
前記第１の誘電体層１４ａ〜前記第６の誘電体層１４ｆの各厚さを調節して、光学性能を多様に具現することができる。具体的には、前記誘電体層それぞれの一層の厚さは、それぞれ約５ｎｍ〜約３０ｎｍであってもよく、前記第１の誘電体層１４ａ〜前記第６の誘電体層１４ｆの厚さの総和は、約３０ｎｍ〜約１２０ｎｍであってもよい。
【００５３】
前記低放射コーティング１１における第１の誘電体層１４ａ〜第３の誘電体層１４ｃ及び第４の誘電体層１４ｄ〜第６の誘電体層１４ｆは、低屈折層、高屈折層及び低屈折層が繰り返した構造を形成する。このように、低屈折層と高屈折層が繰り返して交差する構造を形成することで、透過率、反射率、色指数等のような低放射ガラスで求められる光学性能が大きく向上する。
【００５４】
前記窓戸用機能性建材１００において、前記低放射コーティング１１は、前記第６の誘電体層１４ｆの上部に最上部保護層をさらに含んでいてもよい。
【００５５】
図２は、本発明の他の具現例による窓戸用機能性建材２００を示した断面図である。
【００５６】
前記窓戸用機能性建材２００は、前述した構造において、前記第６の誘電体層１４ｆの上部に最上部保護層１５が積層する。
【００５７】
前記最上部保護層１５は、最外角に露出する層であって、ジルコニウム系化合物を含んでいてもよい。
【００５８】
具体的には、前記最上部保護層１５は、亜鉛アルミニウム酸化物を含んでいてもよい。
【００５９】
前記最上部保護層１５は、前記第１の誘電体層１４ａ〜前記第６の誘電体層１４ｆと共に優れた光学性能を具現することができる。
【００６０】
前記低放射コーティング１１は、前記第１の誘電体層１４ａ、前記第２の誘電体層１４ｂ及び第５の誘電体層１４ｅに対応する層であって、屈折率が約２．３以上であり、具体的には、約２．３〜約２．５である追加高屈折層；と、前記第３の誘電体層１４ｃ、第４の誘電体層１４ｄ及び第６の誘電体層１４ｆに対応する層であって、屈折率がそれぞれ約２．２以下であり、具体的には、約１．８〜約２．２である追加低屈折層を一対にしてさらに含んでいてもよい。
【００６１】
前記追加高屈折層及び追加低屈折層は、一対にして、前記第３の誘電体層１４ｃの上部及び／又は前記第６の誘電体層１４ｆの上部に、前記追加高屈折層及び前記追加低屈折層が順次に一対さらに積層して含まれていてもよい。
【００６２】
また、前記追加高屈折層及び追加低屈折層は、一対にして、前記第３の誘電体層１４ｃの上部及び／又は前記第６の誘電体層１４ｆの上部に、前記追加高屈折層及び前記追加低屈折層が順次に二対さらに積層して含まれていてもよい。
【００６３】
すなわち、前記追加高屈折層及び前記追加低屈折層は、前記第３の誘電体層１４ｃ及び前記第１の低放射保護層１３ａの間、前記第６の誘電体層１４ｆの上部、又は前記第６の誘電体層１４ｆの上部と後述する最上部保護層１５との間に位置してもよい。
【００６４】
前記一番の追加高屈折層及び追加低屈折層が繰り返して積層するほど、透過率のような光学性能が向上するものの、単価上昇のおそれがあるため、適用する用途に合わせて調節することができる。
【００６５】
図３は、前記追加高屈折層及び前記追加低屈折層をさらに含む窓戸用機能性建材３００を示す。
【００６６】
図３において、前記窓戸用機能性建材３００は、前記追加高屈折層１６ａと前記追加低屈折層１７ａの一対、及び前記追加高屈折層１６ｂと前記追加低屈折層１７ｂの他の一対を含む。
【００６７】
前記低放射コーティング１１は、所定の光学性能を具現するために、前述した構造以外の他の追加層をさらに含んでいてもよい。
【００６８】
前記透明基板１０は、可視光線透過率の高い透明基材であってもよく、例えば、約８０％〜約１００％の可視光線透過率を有するガラス又は透明プラスチック基板であってもよい。前記透明基板１０は例えば、建築用として用いられるガラスを制限なく使用することができ、例えば、約２ｍｍ〜約１２ｍｍの厚さであってもよく、使用の目的及び機能によって異なり、これに制限されるものではない。
【００６９】
前記窓戸用機能性建材を製造するために、先ず、透明基板１０を準備した後、前記低放射コーティング１１の各層を順次に形成することができる。低放射コーティング１１の各層を公知の方法に従って、所望の物性を具現するのに好適な方法で形成することができる。
【００７０】
以下では、本発明の実施例及び比較例を記載する。そのような下記の実施例は、本発明の一実施例に過ぎないし、本発明が下記の実施例に限定されるものではない。
【００７１】
（実施例）
実施例１
マグネトロンスパッタリング蒸着機を用いて、下記のように、透明ガラス基材にコーティングされた多層構造の低放射コーティングを製造した。
【００７２】
５ｍｍ厚さの透明ガラス基材上にアルゴン／窒素雰囲気下で、第１の誘電層である窒化シリコーンアルミニウムを蒸着し、次いで、アルゴン／酸素雰囲気下で、第２の誘電層である酸化チタンを形成した。アルゴン／窒素雰囲気下で、第３の誘電層である窒化シリコーンアルミニウムを形成しており、アルゴン／酸素雰囲気下で、酸化アルミニウム亜鉛層、及びアルゴン１００％雰囲気下で、ニッケルクロム層を形成させて、第１の低放射保護層を形成した。次に、銀層を蒸着して低放射層を形成しており、前記低放射層の上部面にアルゴン１００％雰囲気下で、ニッケルクロム層を形成しており、アルゴン／酸素雰囲気下で、酸化アルミニウム亜鉛層を形成して、第２の低放射保護層を形成した。その後、アルゴン／窒素雰囲気下で、第４の誘電層である窒化シリコーンアルミニウムを蒸着し、次いで、アルゴン／酸素雰囲気下で、第５の誘電層である酸化チタンを形成した。アルゴン／窒素雰囲気下で、第６の誘電層である窒化シリコーンアルミニウムを形成した。
【００７３】
比較例１
実施例１において、第２の誘電層と第５の誘電層である酸化チタン層を除いて、その他層は、いずれも同様に製作した。
【００７４】
評価
実験例１
実施例１において製作された窓戸用機能性建材に対して、下記の項目別に性能分析を実施した。
【００７５】
＜屈折率測定＞
実施例１及び比較例１において、第１の誘電体層、第３の誘電体層、第４の誘電体層及び第６の誘電体層は、それぞれ所定の金属ターゲットを用いて窒素雰囲気でスパッタリング装備を利用して蒸着し形成しており、このとき、窒素の含量比を適宜調節して、各層が所定範囲の屈折率を有するように製造した。また、実施例１及び比較例１において、第２の誘電体層及び第５の誘電体層は、それぞれ所定の金属ターゲットを用いて酸素雰囲気でスパッタリング装備を利用して蒸着し形成しており、このとき、酸素の含量比を適宜調節して、各層が所定範囲の屈折率を有するように製造した。
【００７６】
製造された各層に対する屈折率側は、ＵＶ−Ｖｉｓ−ＮＩＲスペクトル測定装置（Ｓｈｉｍａｄｚｕ，Ｓｏｌｉｄｓｐｅｃ−３７００）を利用して２５０〜２５００ｎｍ範囲の１ｎｍ区間幅で光学スペクトルを測定した後、Ｗ．Ｔｈｅｉｓｓ Ｈａｒｄ−ａｎｄ  Ｓｏｆｔ  ｗａｒｅ  Ｃｏｄｅ（製造社：ｍｔｈｅｓｉｓ）プログラムにより屈折率を計算した。
【００７７】
実施例１及び比較例１に対して測定された屈折率は、下記のとおりである。
【００７８】
【表１】
0006972317.tif 000002
【００７９】
＜透過率計算＞
ＵＶ−Ｖｉｓ−ＮＩスペクトル測定装置（Ｓｈｉｍａｄｚｕ，Ｓｏｌｉｄｓｐｅｃ−３７００）を利用して２５０〜２５００ｎｍ範囲の１ｎｍ区間幅で光学スペクトルを測定した後、結果値をＫＳＬ２５１４基準に基づいて可視光線透過率を測定した。
【００８０】
＜放射率＞
遠赤外線分光測定装置であるＦＴ−ＩＲ（Ｆｒｏｎｔｉｅｒ，Ｐｅｒｋｉｎ  Ｅｌｍｅｒ社）を利用して、窓戸用機能性建材の低放射コーティングがコーティングされた方の一面の遠赤外線反射率スペクトルを測定しており、その結果からＫＳ２５１４規格に合わせて遠赤外線平均反射率を算出した後、１００％−（遠赤外線平均反射率）の数式で放射率を評価した。
【００８１】
＜色指数＞
色差測定機（ＫＯＮＩＣＡ  ＭＩＮＯＬＴＡ ＳＥＮＳＩＮＧ，Ｉｎｃ．，ＣＭ−７００ｄ）を利用してＣＩＥ１９３１基準のＬ＊、ａ＊及びｂ＊値を測定した。このとき、光源は、ＫＳ規格のＤ６５に適用した。
【００８２】
上記のように評価された結果は、下記のとおりである。
【００８３】
【表２】
0006972317.tif 000003
【００８４】
通常、放射率に影響を及ぼす因子はＡｇ層であり、Ａｇ層の厚さが増加するほど放射率は低くなるが、透過率が低くなるが、中立色相（ｎｅｕｔｒａｌ  ｃｏｌｏｒ）を具現するためには、高い透過率と低い放射率を同時に具現しなければならない。
【００８５】
また、住居用ローイーガラスの用途における光学性能部分の重要な因子は、同じ色相で高い透過率を得ることで中立色相を具現することができる。
【００８６】
上記表２の結果から、実施例１は、比較例１に比べて類似水準の色指数及び放射率値を示すと共に、向上した透過率値を示していることが分かる。よって、実施例１は、比較例１に比べて、さらに中立色相（ｎｅｕｔｒａｌ  ｃｏｌｏｒ）を十分に具現しており、光学性能が向上したことを確認することができる。
【００８７】
実験例２: 耐磨耗性の評価
実施例１及び比較例１に従って製造された窓戸用機能性建材に対して、洗滌機（ＭＡＮＩＡ，ＭＧＲ−４６０）を用いて耐磨耗性試験を実施しており、それにより、目視で前記各低放射コーティングの表面にスクラッチが発生する時点の時間を測定した。
【００８８】
実験例３: 耐湿性の評価−５０℃、９０％ＲＨ（湿度）
実施例１及び比較例１に従って製造された窓戸用機能性建材を常温常湿チャンバー（ＬＳ産電、ＥＢＳ−３５Ｂ）の５０℃、９０％ＲＨ（湿度）の条件下で放置し、腐食点が発生する時点を評価した。光学顕微鏡（Ｘ５０）を利用して、実施例１及び比較例１に従って製造された窓戸用機能性建材に腐食点が発生するかを確認した。
【００８９】
実験例４: 耐湿性の評価−９５℃、９５％ＲＨ（湿度）
実施例１及び比較例１に従って製造された窓戸用機能性建材を常温常湿チャンバー（ＬＳ産電、ＥＢＳ−３５Ｂ）の５０℃、９０％ＲＨ（湿度）の条件下で放置し、腐食点が発生する時点を評価した。光学顕微鏡（Ｘ５０）を利用して、実施例１及び比較例１に従って製造された窓戸用機能性建材に腐食点が発生するかを確認した。
【００９０】
前記実験例２−３の結果を下記表３に示した。
【００９１】
【表３】
0006972317.tif 000004
【００９２】
表３の結果から、実施例１は、比較例１に類似する水準の耐摩耗性能と耐湿性を具現できることを確認することができます。
【００９３】
表２及び表３の結果を総合すれば、実施例１は、光学性能を改善しながらも、耐摩耗性能を相殺しないと共に、優れた光学性能及び耐摩耗性能と耐湿性を具現できることを確認することができます。
【００９４】
以上では、本発明の望ましい実施例について詳説したが、本発明の権利範囲は、これに限定されるものではなく、次の請求範囲に定義する本発明の基本概念を利用した当業者の様々な変形及び改良形態も本発明の権利範囲に属する。
【符号の説明】
【００９５】
１０  透明基板
１１  低放射コーティング
１２  低放射層
１３ａ、１３ｂ  低放射保護層
１４ａ、１４ｂ、１４ｃ、１４ｄ、１４ｅ、１４ｆ  誘電体層
１５   最上部保護層
１６ａ、１６ｂ  追加高屈折層
１７ａ、１７ｂ  追加低屈折層
１００、２００、３００  窓戸用機能性建材
【図１】
0006972317.tif 000005
【図２】
0006972317.tif 000006
【図３】
0006972317.tif 000007